(57)【要約】      （修正有）【課題】生コンクリート中の単位水量を測定するエアメータを水平に配置させかつコンクリート試料を詰め込んだエアメータ本体の荷重をデジタル表示させる。【解決手段】荷重を測定するロードセル６と水準を測定する水準器９とを備えた天秤本体１と、天秤本体１を水平に支持するために共通中央軸線Ｘ−Ｘに向けて同じ角度で下方向に傾斜させた３つの支持面１７，１８，１９を有する水準基台２と、測定した荷重を表示するためにロードセル６に接続させたデジタル指示器３とから構成した生コンクリート中の単位水量を測定するエアメータ用の電子天秤。【選択図】図１
0003106603.tif 000002
【実用新案登録請求の範囲】
【請求項１】
荷重を測定するロードセルと水準を測定する水準器とを備えた天秤本体と、該天秤本体を水平に支持するために共通中心軸線に向けて同じ角度で下方向に傾斜させた３つの支持面を有する水準基台と、測定した荷重を表示するためにロードセルに接続させたデジタル指示器とから構成した生コンクリート中の単位水量を測定するエアメータ用の電子天秤。
【考案の詳細な説明】
【技術分野】
【０００１】
本考案は生コンクリート中の単位水量を測定するエアメータ用の電子天秤に関するものである。
【背景技術】
【０００２】
従来、コンクリート試料の質量、容積、空気量を正確に測定し、空気を除いた単位容積質量を求めることにより生コンクリート中の単位水量を測定するエアメータが周知である（実公昭５６−２１９５号公報）。このような従来周知のエアメータにおいては、エアメータ本体を水平に配置させなければ正確な質量及び空気量を測定することができないので、コンクリート試料を詰め込んだエアメータ本体の荷重を測定する天秤に４つの調整ネジを取付け、それらの調整ネジを高さ調整させることにより天秤を水平に配置させ、その後該天秤上にエアメータ本体を載置させることによりエアメータ本体の荷重を測定していた。
【０００３】
【特許文献１】実公昭５６−２１９５号公報
【考案の開示】
【考案が解決しようとする課題】
【０００４】
上述した従来周知のエアメータ用の天秤においては、工事現場等の平坦度の少ない場所ではエアメータ本体を水平に配置させるためには天秤上の４つの調整ネジをそれぞれ調整させなければならず、その調整に多大の時間を要し、現場でエアメータ本体を水平に配置させるのが煩わしい作業となっていた。
【０００５】
本考案の目的は生コンクリート中の単位水量を測定するエアメータを迅速かつ確実に水平に配置させることができると共にコンクリート試料を詰め込んだエアメータ本体の荷重を正確かつ簡単にデジタル表示させることができるエアメータ用の電子天秤を提供することにある。
【課題を解決するための手段】
【０００６】
本考案による生コンクリート中の単位水量を測定するエアメータ用の電子天秤は荷重を測定するロードセルと水準を測定する水準器とを備えた天秤本体と、該天秤本体を水平に支持するために共通中心軸線に向けて同じ角度で下方向に傾斜させた３つの支持面を有する水準基台と、測定した荷重を表示するためにロードセルに接続させたデジタル指示器とから構成したものである。
【考案の効果】
【０００７】
本考案による電子天秤においては天秤本体を３点で支持するため、水準基台の３つの支持面上にエアメータを載置させる天秤本体を水準器によって迅速に水平に配置させることができ、又天秤本体に備えたロードセルをデジタル指示器に接続させることによりコンクリート試料を詰め込んだエアメータ本体の荷重を正確かつ簡単にデジタル表示することができる。
【考案を実施するための最良の形態】
【０００８】
本考案による生コンクリート中の単位水量を測定するエアメータ用の電子天秤はコンクリート試料を詰め込んだエアメータ本体の荷重を測定する円形状の天秤本体１と、該天秤本体１を配置させる円形状の水準基台２と、前記天秤本体１に接続させかつコンクリート試料を詰め込んだエアメータ本体の荷重を表示するデジタル指示器３とから構成されている。
【０００９】
天秤本体１は図２及び図３に示すように円形状の下箱４と、該下箱４上に配置させる円形状の上蓋５とから成り、下箱４内にロードセル６を配置させ、ロードセル６の一端をネジ７，７により上蓋５に取付けると共にその他端をネジ８，８により下箱４に取付けてあり、更に上蓋５には天秤本体１の水準を測定するための水準器９を備えている。
【００１０】
水準基台２は図４乃至図６に示すように円形の環状胴体１０から成り、該環状胴体１０にはその下側に円周に沿って互いに一定間隔に配置させた３つの支持脚１１，１２，１３を設け、３つの支持脚１１，１２，１３の上部には天秤本体１を支持するために環状胴体２の内側に配置させた支持部１４，１５，１６を備え、支持部１４，１５，１６の上面には環状胴体１０の共通中心軸線Ｘ−Ｘに向かって互いに同じ角度で下方向に傾斜させた支持面１７，１８，１９を形成してある。従って、図７に示すように左下りに傾斜している場所で測定する場合であってもその傾斜面に配置された水準基台２は天秤本体１を支持面１７，１８，１９の３点で支持するようにしてあるので、水準器９を見ながら天秤本体１を移動させることにより容易に水平に配置させることが可能である。
【００１１】
デジタル指示器３には天秤本体１に備えたロードセル６を接続コード２０を介して接続させ、ロードセル６により測定したエアメータ本体の荷重をデジタル指示器３で表示できるようにしてある。
【００１２】
図１における符号２１は生コンクリート中の単位水量を測定するエアメータを示し、該エアメータは一般にコンクリート試料を詰め込むエアメータ本体２２と、その頂部開口部を密閉する蓋体２３と、蓋体２３の上部に設けた空気室２４と、空気室２４に備えた圧力計２５及び手動空気ポンプ２６と、蓋体２３をエアメータ本体２２に締着させる締金具２７とから構成されている。図１に示した使用状態において、該エアメータ２１は本発明によって水平に配置された天秤本体１の上蓋５上に載置され、エアメータ本体２２内に詰め込まれたコンクリート試料の単位水量を測定することができる。
【図面の簡単な説明】
【００１３】
【図１】本考案による電子天秤の使用状態を示す一部縦断正面図である。
【図２】本考案の天秤本体の一部切欠平面図である。
【図３】本考案の天秤本体の縦断正面図である。
【図４】本考案の水準基台の平面図である。
【図５】本考案の水準基台の縦断正面図である。
【図６】本考案の水準基台の支持脚の詳細を示す説明図である。
【図７】本考案による電子天秤を傾斜面で使用した状態を示す一部縦断正面図である。
【符号の説明】
【００１４】
１                天秤本体
２                水準基台
３                デジタル指示器
４                下箱
５                上蓋
６                ロードセル
７，８            ネジ
９                水準器
１０              環状胴体
１１，１２，１３  支持脚
１４，１５，１６  支持部
１７，１８，１９  支持面
２０              接続コード
【図１】
0003106603.tif 000003
【図２】
0003106603.tif 000004
【図３】
0003106603.tif 000005
【図４】
0003106603.tif 000006
【図５】
0003106603.tif 000007
【図６】
0003106603.tif 000008
【図７】
0003106603.tif 000009